【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
コンテナ荷捌機用のステータス報告デバイスを作成する装置において、
無線通信を行う無線通信手段と通信可能に接続され、前記コンテナ荷捌機のステータスを検知する手段と通信可能に接続されたマイクロコントローラモジュールを提供する手段と、
前記マイクロコントローラモジュールに指令するコンピュータにアクセス可能に接続されたメモリに、プログラムシステムをインストールする手段とを備え、
前記プログラムシステムが前記メモリに常駐するものであり、
該プログラムシステムが、
前記コンテナ荷捌機のステータスを検知する手段を用いて検知されたステータスを生成するプログラムステップと、
前記無線通信手段を用いて前記コンテナ荷捌機の検知されたステータスを通信するプログラムステップとを含み、
前記コンテナ荷捌機が、長さが少なくとも２０フィート（約６.１ｍ）のコンテナを移動させることを特徴とする装置。
【請求項２】
前記コンピュータがネットワークインターフェース回路と接続され、
前記マイクロコントローラモジュールを提供する手段が、
前記無線通信手段に前記ネットワークインターフェース回路を接続する手段と、
前記コンテナ荷捌機のステータスを検知する手段に通信可能な接続を前記マイクロコントローラモジュールに提供する手段と、
前記コンテナ荷捌機の位置を検知する手段に通信可能な接続を前記マイクロコントローラモジュールに提供する手段と、をさらに備え、
前記無線通信手段を用いるプログラムステップが、
前記コンテナ荷捌機の前記検知されたステータス及び位置を通信するために、前記無線通信手段に接続された前記ネットワークインターフェース回路と接続するプログラムステップをさらに含むことを特徴とする請求項１に記載の装置。
【請求項３】
前記マイクロコントローラモジュールを提供する手段が、
前記マイクロコントローラモジュールを前記無線通信手段と通信可能に接続する手段と、
前記マイクロコントローラモジュールを前記コンテナ荷捌機のステータスを検知する手段と通信可能に接続する手段とをさらに含むことを特徴とする請求項１に記載の装置。
【請求項４】
前記マイクロコントローラモジュールを提供する手段及び前記インストールする手段を制御する１以上の第２のコンピュータをさらに備え、
前記第２のコンピュータが、該第２のコンピュータにアクセス可能に接続された第２のメモリに常駐するプログラムステップを含む第２のプログラムシステムによって少なくとも一部が制御され、
前記第２のプログラムシステムが、
無線通信を行う無線通信手段と通信可能に接続され、前記コンテナ荷捌機のステータスを検知する手段と通信可能に接続されたマイクロコントローラモジュールを提供するプログラムステップと、
前記マイクロコントローラモジュールに指令するコンピュータにアクセス可能に接続されたメモリに、プログラムシステムをインストールするプログラムステップとを含むことを特徴とする請求項１に記載の装置。
【請求項５】
前記第２のコンピュータがさらに、前記ステータス報告デバイスを生成するために、前記マイクロコントローラモジュールと、前記無線通信手段と、前記コンテナ荷捌機のステータスを検知する手段とを有する集成デバイスを制御し、
前記第２のプログラムシステムが、
前記マイクロコントローラモジュールを前記無線通信手段と通信可能に接続するプログラムステップと、
前記マイクロコントローラモジュールを前記コンテナ荷捌機のステータスを検知する手段と通信可能に接続するプログラムステップと、を含むことを特徴とする請求項４に記載の装置。
【請求項６】
コンテナ荷捌機のステータス報告デバイスの作成方法において、
無線通信を行う無線通信手段と通信可能に接続され、前記コンテナ荷捌機のステータスを検知する手段と通信可能に接続されたマイクロコントローラモジュールを提供する工程と、
前記マイクロコントローラモジュールに指令するコンピュータにアクセス可能に接続されたメモリに、プログラムシステムをインストールする工程とを含む方法であって、
前記プログラムシステムが前記メモリに常駐するものであり、
該プログラムシステムが、
前記コンテナ荷捌機のステータスを検知する手段を用いて検知されたステータスを生成するプログラムステップと、
前記無線通信手段を用いて前記コンテナ荷捌機の前記検知されたステータスを通信するプログラムステップとを含み、
前記コンテナ荷捌機が、長さが少なくとも２０フィート（約６.１ｍ）のコンテナを移動させることを特徴とする方法。
【請求項７】
前記コンピュータがネットワークインターフェース回路と接続され、
前記マイクロコントローラモジュールを提供する工程が、
前記ネットワークインターフェース回路を前記無線通信手段に接続する工程、をさらに含み、
前記無線通信手段を用いるプログラムステップが、
前記コンテナ荷捌機の前記検知されたステータス及び位置を通信するために、前記無線通信手段に接続された前記ネットワークインターフェース回路と接続するプログラムステップと、
前記コンテナ荷捌機のステータスを検知する手段に通信可能な接続を前記マイクロコントローラモジュールに提供するステップと、
前記コンテナ荷捌機の位置を検知する手段に通信可能な接続を前記マイクロコントローラモジュールに提供するステップと、をさらに含むことを特徴とする請求項６に記載の方法。
【請求項８】
前記ネットワークインターフェース回路が、前記無線通信手段と共に少なくとも１つの有線通信プロトコルをサポートすることを特徴とする請求項２記載の装置。
【請求項９】
前記無線通信手段が無線変調復調方式の１以上の方式の少なくとも１つのバージョンを用いた通信をサポートし、
前記無線変調復調方式が、時間分割多重アクセス方式と、周波数分割多重アクセス方式と、スペクトル拡散アクセス方式とを含むものであり、
前記無線通信手段が、前記コンテナ荷捌機の位置を無線を使用して決定する手段をさらに備え、
前記コンテナ荷捌機が、ＵＴＲトラック、ボムカートおよび／またはシャーシ、ゴムタイヤガントリークレーン、埠頭クレーン、サイドピッカー、リーチスタッカー、トップローダー、ストラドルキャリア、及び、シャーシ転換機のうちの少なくとも１つであることを特徴とする請求項１記載の装置。
【請求項１０】
前記スペクトル拡散アクセス方式が、符号分割多重アクセス方式、周波数ホッピング多重アクセス方式、時間ホッピング多重アクセス方式、直交周波数分割多重アクセス方式、及び、ＡＮＳＩ３７１．１規格のＲＦタグ方式のうちの少なくとも１つの方式であり、
前記時間分割多重アクセス方式のうちの前記少なくとも１つのバージョンが、ＧＳＭアクセス方式であり、
前記周波数分割多重アクセス方式のうちの前記少なくとも１つのバージョンが、ＡＭＰＳアクセス方式であり、
前記符号分割多重アクセス方式のうちの前記少なくとも１つのバージョンが、ＩＳ-９５アクセス方式及び広帯域ＣＤＭＡアクセス方式を含むＣＤＭＡ方式のうちの少なくとも１つの方式であり、
前記直交周波数分割多重アクセス方式のうちの前記少なくとも１つのバージョンが、ＩＥＥＥ８０２.１１アクセス方式であることを特徴とする請求項９記載の装置。
【請求項１１】
前記検知する手段が、
検知された運転者の識別を提供するための運転者の識別を検知する手段と、
検知されたコンテナの存在を生成するためのコンテナの存在を検知する手段と、
光学読取コンテナ標識を提供するコンテナ上のコンテナコードを光学的に検知する手段と、
コンテナＲＦタグを提供するコンテナ上のＲＦタグを無線で検知する手段と、
クレーンステータスの１以上のステータスを生成するクレーンセンサ手段と、
前記クレーンステータスの１以上のステータスの内の少なくとも一部を提供するためにクレーンスプレッダーインターフェース接続への接続と、
コンテナスタック高を提供するコンテナについてのスタック高を検知する手段と、
前記コンテナ荷捌機のマシンステータスの１以上のステータスを検知する手段と、
前記クレーンステータスの１以上のステータスのうちの少なくとも一部を提供するためのプログラマブルロジックコントローラ（ＰＬＣ）への接続と、を備え、
前記クレーンステータスが、前記ツイストロックを検知したステータスと前記スプレッダーを検知したステータスと前記荷揚げを検知したステータスとを含むものであり、
前記クレーンセンサ手段が、ツイストロックステータスのうちツイストロックを検知したステータスを生成するためにツイストロックを検知する手段、スプレッダーステータスのうちスプレッダーを検知したステータスを生成するためにスプレッダーを検知する手段、及び、荷揚げステータスのうち荷揚げを検知したステータスを生成するためにコンテナの荷揚げを検知する手段、のうちの少なくとも１つを含むものであり、
前記マシンステータスが、逆進運動、頻繁停止回数、衝突状態、燃料レベル、コンパス方位、風速及び車両速度を含むものであることを特徴とする請求項１記載の装置。
【請求項１２】
前記ＰＬＣへの接続が、前記コンピュータへのシリアル通信接続を含むものであり、
前記スタック高を検知する手段が、前記コンテナ荷捌機上のスタック高センサへのスタック高センサインターフェースを含むものであり、
前記光学読取コンテナ標識が、１以上のコンテナコード標識の少なくとも１つを含むものであり、
前記コンテナコード標識が、コンテナコード文字列と、前記コンテナコードの外観と、前記コンテナコードの外観の圧縮形態とを含むものであることを特徴とする請求項１１記載の装置。
【請求項１３】
前記コンテナコードを光学的に検知する手段が、
前記コンテナコードの前記光学読取コンテナ標識のうちの少なくとも１つを受け取るビデオインターフェースと、
前記コンテナの前記光学読取コンテナ標識のうちの少なくとも１つについて少なくとも一部を生成する、ビデオ撮像デバイスおよびビデオカメラのうちの少なくとも一方と、
前記コンテナコードの前記光学読取コンテナ標識のうちの少なくとも１つについて少なくとも一部を生成する１以上の画像プロセッサとを含むことを特徴とする請求項１２記載の装置。
【請求項１４】
前記シリアル通信接続または前記有線通信プロトコルが、
イーサネット（登録商標）プロトコル、
ＲＳ-２３２プロトコル、
ＲＳ-４２２プロトコル、
ＲＳ-４８５プロトコル、
ユニバーサルシリアルバス（ＵＳＢ）プロトコル、
ファイアワイアプロトコル、
同期シリアルインターフェース（ＳＳＩ）プロトコル、
シリアルペリフェラルインターフェース（ＳＰＩ）、
インターＩＣ（Ｉ２Ｃ）プロトコル、及び
コントローラエリアネットワーク（ＣＡＮ）プロトコル、
を含むシリアルプロトコルのうちの少なくとも１つのプロトコルの１つのバージョンをサポートすることを特徴とする請求項８または１２記載の装置。
【請求項１５】
前記プログラムシステムが、
前記コンテナ荷捌機の位置を検出する手段を用いて前記コンテナ荷捌機の位置を少なくとも一部決定するプログラムステップと、
前記無線通信手段を用いて前記コンテナ荷捌機の位置を通信するためプログラムステップとをさらに含み、
前記コンテナ荷捌機の位置を検出する手段が、
全地球測位システム（ＧＰＳ）へのインターフェース、微分全地球測位システム（ＤＧＰＳ）へのインターフェース、及び、無線位置−タグユニットのうちの少なくともいずれか１つであることを特徴とする請求項２記載の装置。
【請求項１６】
前記プログラムシステムが、
前記コンテナ荷捌機の位置を検出する手段を用いて前記コンテナ荷捌機の位置を少なくとも一部決定するプログラムステップと、
前記無線通信手段を用いて前記コンテナ荷捌機の位置を通信するプログラムステップとをさらに含み、
前記無線通信手段が、無線位置−タグユニットであることを特徴とする請求項９記載の装置。
【請求項１７】
前記メモリが、アクセス可能に前記コンピュータと接続された不揮発性メモリを含むものであり、
前記プログラムシステムをインストールする工程が、
前記プログラムステップの少なくとも１つ以上のステップのうちの少なくとも一部をインストールするために前記不揮発性メモリの少なくとも一部を変更する工程、及び、前記アクセス可能に接続されたメモリの少なくとも一部に前記不揮発性メモリに常駐する前記プログラムステップの１以上のステップのうちの少なくとも一部を含むメモリモジュールをインストールする工程、のうち少なくとも１つの工程をさらに含むことを特徴とする請求項１記載の装置。
【請求項１８】
前記コンピュータが、命令プロセッサ、推論エンジン、ニューラルネットワーク、及び、有限状態機械のうちの少なくとも１つで構成されるものであり、
前記命令プロセッサが、少なくとも１つの命令処理部及び少なくとも１つのデータ処理部を有し、前記データ処理部のそれぞれが前記命令処理部の少なくとも１つによって制御されることを特徴とする請求項１または４記載の装置。
【請求項１９】
請求項６に記載の方法で作成された製品であることを特徴とする前記ステータス報告デバイス。
【請求項２０】
前記ネットワークインターフェース回路が、前記無線通信手段と共に少なくとも１つの有線通信プロトコルをサポートすることを特徴とする請求項７記載の方法。
【請求項２１】
前記無線通信手段が無線変調復調方式の１以上の方式の少なくとも１つのバージョンを用いた通信をサポートし、
前記無線変調復調方式が、時間分割多重アクセス方式と、周波数分割多重アクセス方式と、スペクトル拡散アクセス方式とを含むものであり、
前記無線通信手段が、前記コンテナ荷捌機の位置を無線を使用して決定する手段をさらに備え、
前記コンテナ荷捌機が、ＵＴＲトラック、ボムカートおよび／またはシャーシ、ゴムタイヤガントリークレーン、埠頭クレーン、サイドピッカー、リーチスタッカー、トップローダー、ストラドルキャリア、及び、シャーシ転換機のうちの少なくとも１つであることを特徴とする請求項６記載の方法。
【請求項２２】
前記スペクトル拡散アクセス方式が、符号分割多重アクセス方式、周波数ホッピング多重アクセス方式、時間ホッピング多重アクセス方式、直交周波数分割多重アクセス方式、及び、ＡＮＳＩ３７１．１規格のＲＦタグ方式のうちの少なくとも１つの方式であり、
前記時間分割多重アクセス方式のうちの前記少なくとも１つのバージョンが、ＧＳＭアクセス方式であり、
前記周波数分割多重アクセス方式のうちの前記少なくとも１つのバージョンが、ＡＭＰＳアクセス方式であり、
前記符号分割多重アクセス方式のうちの前記少なくとも１つのバージョンが、ＩＳ-９５アクセス方式及び広帯域ＣＤＭＡアクセス方式を含むＣＤＭＡ方式のうちの少なくとも１つの方式であり、
前記直交周波数分割多重アクセス方式のうちの前記少なくとも１つのバージョンが、ＩＥＥＥ８０２.１１アクセス方式であることを特徴とする請求項２１記載の方法。
【請求項２３】
前記検知する手段が、
検知された運転者の識別を提供するための運転者の識別を検知する手段と、
検知されたコンテナの存在を生成するためのコンテナの存在を検知する手段と、
光学読取コンテナ標識を提供するコンテナ上のコンテナコードを光学的に検知する手段と、
コンテナＲＦタグを提供するコンテナ上のＲＦタグを無線で検知する手段と、
クレーンステータスの１以上のステータスを生成するクレーンセンサ手段と、
前記クレーンステータスの１以上のステータスの内の少なくとも一部を提供するためにクレーンスプレッダーインターフェース接続への接続と、
コンテナスタック高を提供するコンテナについてのスタック高を検知する手段と、
前記コンテナ荷捌機のマシンステータスの１以上のステータスを検知する手段と、
前記クレーンステータスの１以上のステータスのうちの少なくとも一部を提供するためのプログラマブルロジックコントローラ（ＰＬＣ）への接続と、を備え、
前記クレーンステータスが、前記ツイストロックを検知したステータスと前記スプレッダーを検知したステータスと前記荷揚げを検知したステータスとを含むものであり、
前記クレーンセンサ手段が、ツイストロックステータスのうちツイストロックを検知したステータスを生成するためにツイストロックを検知する手段、スプレッダーステータスのうちスプレッダーを検知したステータスを生成するためにスプレッダーを検知する手段、及び、荷揚げステータスのうち荷揚げを検知したステータスを生成するためにコンテナの荷揚げを検知する手段、のうちの少なくとも１つを含むものであり、
前記マシンステータスが、逆進運動、頻繁停止回数、衝突状態、燃料レベル、コンパス方位、風速及び車両速度を含むものであることを特徴とする請求項６記載の方法。
【請求項２４】
前記ＰＬＣへの接続が、前記コンピュータへのシリアル通信接続を含むものであり、
前記スタック高を検知する手段が、前記コンテナ荷捌機上のスタック高センサへのスタック高センサインターフェースを含むものであり、
前記光学読取コンテナ標識が、１以上のコンテナコード標識の少なくとも１つを含むものであり、
前記コンテナコード標識が、コンテナコード文字列と、前記コンテナコードの外観と、前記コンテナコードの外観の圧縮形態とを含むものであることを特徴とする請求項２３記載の方法。
【請求項２５】
前記コンテナコードを光学的に検知する手段が、
前記コンテナコードの前記光学読取コンテナ標識のうちの少なくとも１つを受け取るビデオインターフェースと、
前記コンテナの前記光学読取コンテナ標識のうちの少なくとも１つについて少なくとも一部を生成する、ビデオ撮像デバイスおよびビデオカメラのうちの少なくとも一方と、
前記コンテナコードの前記光学読取コンテナ標識のうちの少なくとも１つについて少なくとも一部を生成する１以上の画像プロセッサとを含むことを特徴とする請求項２４記載の方法。
【請求項２６】
前記シリアル通信接続または前記有線通信プロトコルが、
「イーサネット」プロトコル、
ＲＳ-２３２プロトコル、
ＲＳ-４２２プロトコル、
ＲＳ-４８５プロトコル、
ユニバーサルシリアルバス（ＵＳＢ）プロトコル、
ファイアワイアプロトコル、
同期シリアルインターフェース（ＳＳＩ）プロトコル、
シリアルペリフェラルインターフェース（ＳＰＩ）、
インターＩＣ（Ｉ２Ｃ）プロトコル、及び
コントローラエリアネットワーク（ＣＡＮ）プロトコル、
を含むシリアルプロトコルのうちの少なくとも１つのプロトコルの１つのバージョンをサポートすることを特徴とする請求項２０または２４記載の方法。
【請求項２７】
前記プログラムシステムが、
前記コンテナ荷捌機の位置を検出する手段を用いて前記コンテナ荷捌機の位置を少なくとも一部決定するプログラムステップと、
前記無線通信手段を用いて前記コンテナ荷捌機の位置を通信するためプログラムステップとをさらに含み、
前記コンテナ荷捌機の位置を検出する手段が、
全地球測位システム（ＧＰＳ）へのインターフェース、微分全地球測位システム（ＤＧＰＳ）へのインターフェース、及び、無線位置−タグユニットのうちの少なくともいずれか１つであることを特徴とする請求項７記載の方法。
【請求項２８】
前記プログラムシステムが、
前記コンテナ荷捌機の位置を検出する手段を用いて前記コンテナ荷捌機の位置を少なくとも一部決定するプログラムステップと、
前記無線通信手段を用いて前記コンテナ荷捌機の位置を通信するプログラムステップとをさらに含み、
前記無線通信手段が、無線位置−タグユニットであることを特徴とする請求項２１記載の方法。
【請求項２９】
前記メモリが、アクセス可能に前記コンピュータと接続された不揮発性メモリを含むものであり、
前記プログラムシステムをインストールする工程が、
前記プログラムステップの少なくとも１つ以上のステップのうちの少なくとも一部をインストールするために前記不揮発性メモリの少なくとも一部を変更する工程、及び、前記アクセス可能に接続されたメモリの少なくとも一部に前記不揮発性メモリに常駐する前記プログラムステップの１以上のステップのうちの少なくとも一部を含むメモリモジュールをインストールする工程、のうち少なくとも１つの工程をさらに含むことを特徴とする請求項６記載の方法。
【請求項３０】
前記コンピュータが、命令プロセッサ、推論エンジン、ニューラルネットワーク、及び、有限状態機械のうちの少なくとも１つで構成されるものであり、
前記命令プロセッサが、少なくとも１つの命令処理部及び少なくとも１つのデータ処理部を有し、前記データ処理部のそれぞれが前記命令処理部の少なくとも１つによって制御されることを特徴とする請求項６記載の方法。